(57)【要約】【課題】  バッグのひったくりに対する安全装置を信頼性高く動作させ得るとともに、解除機構のリセットを迅速にかつ信頼性高く行い得るようにすること。【解決手段】  袋（１）を迅速に膨張させ得るよう小さな圧縮ガス容器（６）を穿孔するための穿孔装置であって、膨張可能袋（１）と；圧縮ガス供給手段（２）と；を具備し、この手段（２）が、圧縮ガス容器（６）と、内部に穿孔部材（７）を有したハウジング（２０）と、解除機構（８）と、を備え、突起（８７）が、スプリング（８９）に抗してフレキシブル伝達部材（３０）を動作させることによりスライド可能とされ、把持チャック（７０）が、制御手段の動作によって、突起を把持した位置と、突起の把持を解除した位置と、の間にわたってスライド移動可能とされている。【選択図】  図１
2005119748.tif 000002
【特許請求の範囲】
【請求項１】
袋を迅速に膨張させ得るよう小さな圧縮ガス容器を穿孔するための穿孔装置であって、
−外箱（１００；１０４）の基部（１０２；１０３）上に設置された膨張可能袋（１）と；
−この膨張可能袋（１）の直下に配置された圧縮ガス供給手段（２）と；
を具備し、
前記圧縮ガス供給手段（２）が、
−穿孔可能なマウス部（６０）と外部ネジ山付きネック部（６１）とを有している小さな圧縮ガス容器（６）と、
−この小さな圧縮ガス容器（６）と前記膨張可能袋（１）とに対して連結されたハウジング（２０）であるとともに、このハウジングの内部チャンバ（２１）の内部に、穿孔部材（７）が設けられ、この穿孔部材（７）が、穿孔ビット（７２）と、前記膨張可能袋（１）に対して連通した軸方向通路（７３）と、を有しているような、ハウジング（２０）と、
−前記小さな圧縮ガス容器（６）に向けて前記穿孔部材（７）を押し込むような向きにスプリング（８９）によって付勢されている解除機構（８）であるとともに、制御手段（３）のフレキシブル伝達部材（３０）に対して連結された解除部材を有しているような、解除機構（８）と、
を備え、
このような穿孔装置において、
−前記解除部材が、突起（８７）とされるとともに、前記スプリング（８９）の付勢力に抗して前記フレキシブル伝達部材（３０）を動作させることにより前記長尺ハウジング（２０）の前記内部チャンバ（２１）内においてスライド可能とされ、
−前記穿孔部材（７）が、把持チャック（７０）の前端に固定され、この把持チャック（７０）の後端には、フィンガー（８８）が設けられ、これらフィンガー（８８）は、前記解除部材をなす前記突起（８７）を把持し得るものとされ、前記把持チャック（７０）が、前記制御手段の動作によって、前記突起（８７）を把持した位置と、前記突起（８７）の把持を解除した位置と、の間にわたってスライド移動可能とされていることを特徴とする穿孔装置。
【請求項２】
請求項１記載の穿孔装置において、
前記把持チャック（７０）が、螺旋スプリング（９１）の作用によって、少なくとも前記フィンガー（８８）を囲んでいる外側カム形状（９０）に対して同軸的にスライド可能とされ、
前記螺旋スプリング（９１）は、前記把持チャック（７０）の前記前端をなすフランジ（９２）と、前記外側カム形状（９０）と、に対して当接し、
前記外側カム形状（９０）は、前記長尺ハウジング（２０）の前記内部チャンバ（２１）の内周凸部（９３）に対して当接しているものであって、内部空間を形成し、
この内部空間は、前記突起（８７）と係合している前記把持チャック（７０）の前記フィンガー（８８）を受領し得るとともに、前記把持チャック（７０）をスライドさせないように前記フィンガー（８８）を保持し得るように、構成されていることを特徴とする穿孔装置。
【請求項３】
請求項１記載の穿孔装置において、
前記長尺ハウジング（２０）のうちの、前記ガス容器（６）の近傍に位置した部分が、前記長尺ハウジング（２０）の残部に対して螺着されていることを特徴とする穿孔装置。
【請求項４】
請求項１記載の穿孔装置において、
シールガスケットが、前記解除部材の前記フレキシブル伝達部材（３０）の周囲に配置されていることを特徴とする穿孔装置。
【請求項５】
請求項１に記載された穿孔装置を再設置するためのツールであって、
長尺円筒形ボディを具備してなり、
このボディが、最大直径をなす第１部分（５０）と、第２部分（５１）と、最小直径をなす第３部分（５２）と、を備え、
前記第１部分（５０）が、内部が中空とされるとともに、前記ガス容器（６）の前記ネジ山付きネック部上に螺着し得るような内部ネジ山を有し、
前記第２部分（５１）が、外部にネジ山を有しているとともに、前記ガス容器（６）の前記ネック部の直径と同じ直径を有し、
前記第３部分（５２）は、前記穿孔部材（７）を取り囲み得るよう、内部が中空とされ、
前記第３部分（５２）が前記把持チャック（７０）を後方側に移動させることによって、前記把持チャック（７０）の前記フィンガー（８８）を、前記解除部材の前記突起（８７）に対して係合させ得るものとされていることを特徴とするツール。
【請求項６】
請求項１に記載された穿孔装置を再設置するためのツールであって、
所定形状ボディ（５３）を具備してなり、
このボディが、前記小さなガス容器の前記ネック部のネジ山と等価な外部ネジ山を有した部分（５１）と、前記穿孔部材（７）を取り囲み得るような中空端部（５２）と、を備え、
前記中空端部（５２）が前記穿孔部材（７）を後方側に移動させることにより、前記把持チャック（７０）の前記フィンガーを、前記解除部材の前記突起（８７）に対して係合させ得るものとされていることを特徴とするツール。
【発明の詳細な説明】
【技術分野】
【０００１】
本発明は、小さな圧縮ガス容器を穿孔することによって袋を迅速に膨張させるための穿孔装置に関するものである。また、本発明は、そのような穿孔装置を再設置するためのツールに関するものである。
【背景技術】
【０００２】
本出願人は、“An ejection device to expel objects from the inside of a bag in the event of a bag-snatching”と題するイタリア国特許第１，３０７，２９３号を所有している。このデバイスは、膨張可能な袋を備えており、この袋は、バッグの底部上において、ライニングの直下に配置されている。膨張可能な袋には、小さな圧縮ガス容器が接続されている。この圧縮ガス容器は、穿孔可能なマウス部を有しており、これにより、袋内が空とされた待受状態から、バッグの内容積よりも大容量のものへと膨張可能袋が膨らまされた動作状態へと、膨張可能袋を膨らませることができる。小さな圧縮ガス容器と膨張可能袋とに対して接続されているハウジングは、内部に、穿孔部材を備えている。この穿孔部材には、軸方向通路が形成されている。この軸方向通路は、プレチャージスプリングによって移動可能とされた中空円筒ボディを介して、膨張可能袋に対して、連通している。プレチャージスプリングの作用を解除して穿孔部材を押し込み得る機構が、設けられている。解除機構は、複数の小さなボールを介して穿孔部材に対して係合している曲線状解除部材を有している。解除機構の制御部材は、ボーデンケーブル伝達ラインを有している。ボーデンケーブル伝達ラインの一端は、曲線状解除部材に対する連結箇所の近傍のところにおいて、薄いプレートによって着脱可能に保持されている。ボーデンケーブル伝達ラインの他端は、バッグのうちの、使用者によって恒久的に保持し得るように構成されている部分に対しての、例えばハンドルやショルダーストラップに対しての、連結部材とされている。よって、ボーデンケーブル伝達ラインによって、ハンドルやショルダーストラップに対して、ひったくりの発生が伝達されると、解除機構が動作し、これにより、膨張可能袋が膨らまされ、ライニングの内外が完全に裏返され、バッグの内容物がすべて放出されるようになっている。
【０００３】
上記放出デバイスは、自己内部放出効果（self-emptying effect）に関してイタリア国特許第１，３０７，２９３号の目的を完全に達成した場合であってさえも、いくつかの欠点を有している。
【０００４】
第１の欠点は、制御部材のボーデンケーブル伝達ラインを保持している薄いプレートが、容易に変形可能であることのために、バッグ内容物の無用の放出を信頼性高く防止し得ないことである。
【０００５】
上記放出デバイスの第２の欠点は、解除機構のリセットが面倒であって、時間がかかることである。
【０００６】
第３の欠点は、公知の放出デバイスにおいては、解除機構のリセットが、適切なツールを使用し得る熟練作業者によってしか行えないことである。
【特許文献１】イタリア国特許第１，３０７，２９３号
【発明の開示】
【課題を解決するための手段】
【０００７】
したがって、本発明の目的は、上記様々な欠点を克服することができる。
【０００８】
特に、本発明の１つの目的は、バッグのひったくりに対する上記安全装置が設置されているバッグからの内容物の放出動作を信頼性高く行い得るようにすることである。
【０００９】
本発明の他の目的は、そのような放出デバイスにおいて使用されている解除機構のリセットを、迅速にかつ信頼性高く行い得るようにすることである。
【００１０】
本発明のさらに他の目的は、そのような放出デバイスにおいて使用されている解除機構のリセットを行うに際して、熟練作業者の必要性をなくすことである。
【００１１】
本発明のさらなる目的は、自己内部放出バッグの放出デバイスとは異なる広範な用途において使用されている小さな圧縮ガス容器に関して、穿孔を行い得るような、穿孔機構を提供することである。
【００１２】
したがって、本発明においては、袋を迅速に膨張させ得るよう小さな圧縮ガス容器を穿孔するための穿孔装置であって、
−外箱の基部上に設置された膨張可能袋と；
−この膨張可能袋の直下に配置された圧縮ガス供給手段と；
を具備し、
圧縮ガス供給手段が、
−穿孔可能なマウス部と外部ネジ山付きネック部とを有している小さな圧縮ガス容器と、
−この小さな圧縮ガス容器と膨張可能袋とに対して連結されたハウジングであるとともに、このハウジングの内部チャンバの内部に、穿孔部材が設けられ、この穿孔部材が、穿孔ビットと、膨張可能袋に対して連通した軸方向通路と、を有しているような、ハウジングと、
−小さな圧縮ガス容器に向けて穿孔部材を押し込むような向きにスプリングによって付勢されている解除機構であるとともに、制御手段のフレキシブル伝達部材に対して連結された解除部材を有しているような、解除機構と、
を備え、
このような穿孔装置において、
−解除部材が、突起とされるとともに、スプリングの付勢力に抗してフレキシブル伝達部材を動作させることにより長尺ハウジングの内部チャンバ内においてスライド可能とされ、
−穿孔部材が、把持チャックの前端に固定され、この把持チャックの後端には、フィンガーが設けられ、これらフィンガーは、解除部材をなす突起を把持し得るものとされ、把持チャックが、制御手段の動作によって、突起を把持した位置と、突起の把持を解除した位置と、の間にわたってスライド移動可能とされていることを特徴としている。
【００１３】
また、本発明は、穿孔装置を再設置するためのツールに関するものである。
【発明を実施するための最良の形態】
【００１４】
以下においては、添付図面を参照しつつ、本発明の様々な好ましい実施形態に関して、本発明について説明する。しかしながら、本発明の範囲を逸脱することなく、様々な修正を加え得ることは、理解されるであろう。
【００１５】
添付図面を参照すれば、本発明による穿孔装置は、図１においては待受状態で、図２においては動作状態で、図示されている。
【００１６】
例示するならば、このような穿孔装置は、自己内部放出バッグ（self-emptying  bag）（１００）に対して適用することができる。自己内部放出バッグ（１００）は、閉塞状態において（図７）、また、その後の開放状態において（図８）、破線によって図示されている。例示するならば、バッグ（１００）には、ショルダーストラップ（２００）が設けられている。バッグ（１００）には、折曲式カバー（１０１）が設けられている。さらに、折曲式カバー（１０１）の閉塞手段が、概略的に符号（３００）によって図示されている。閉塞手段（３００）は、本発明による穿孔装置を使用した放出デバイスが動作したときにバッグを開放し得るとともにバッグ内容物を放出し得る限りにおいては、任意の適切な閉塞手段とすることができ、例えばスナップボタンやVelcro（登録商標）とすることができる。
【００１７】
好都合なことに、バッグ（１００）は、ポケットのような形状をしたライニング（４００）によって、内張りされている。好ましくは、ライニング（４００）の上端縁は、図示はしていないものの、例えばジッパーやVelcro（登録商標）といったような手段によって、バッグのエッジに対して着脱可能に取り付けられる。よって、ジッパーを開けることによりあるいはVelcro（登録商標）のエッジどうしを引き離すことにより、人の手を、ライニング（４００）の底部とバッグ（１００）の基部（１０２）との間のスペース（４０１）内に挿入することができる。
【００１８】
本発明による穿孔装置は、このスペース（４０１）内に配置される。
【００１９】
図７においては圧潰状態で概略的に図示されている気密性の膨張可能袋（１）が、例えば折り畳まれた状態といったような収納状態で、ライニング（４００）の下方に配置されている。膨張状態（図８）においては、膨張可能袋（１’）は、角柱の形態をなし、図８に示すように、ライニング（４００）を膨張状態（４００’）に維持することができる。
【００２０】
膨張可能袋（１）の底部には、連通ダクト（１０）を介して、圧縮ガス供給手段（２）の長尺ハウジング（２０）が、気密的に接続されている。長尺ハウジング（２０）は、適切なプラスチック材料から形成することができる。
【００２１】
圧縮ガス供給手段（２）は、膨張可能袋（１）の下方に配置され、好ましくは、例えば適切な発泡性プラスチック材料から形成された拘束パネル（５）どうしの間に配置されている。これにより、バッグの基部（１０２）上において圧縮ガス供給手段（２）が無用にがたついてしまうことを防止することができる。
【００２２】
図１には、圧縮ガス供給手段（２）の長手方向断面図が示されている。圧縮ガス供給手段（２）は、全体的に円筒形状をなす長尺ハウジング（２０）を備えている。このハウジング（２０）の内部チャンバ（２１）は、膨張可能袋（１）と連通している。内部チャンバ（２１）の前方側には、圧縮エアやまたは他の圧縮ガスに関しての小さな圧縮ガス容器（６）が設けられており、内部チャンバ（２１）の一端から他端にかけては、穿孔部材（７）と解除機構（８）とが順次的に設けられている。
【００２３】
小さな圧縮ガス容器（６）は、穿孔可能でありかつシールされたマウス部（６０）を有している。小さな圧縮ガス容器（６）は、外面ネジ山付きネック部（６１）を介して、長尺ハウジング（２０）に対して螺着されている。小さな圧縮ガス容器（６）は、膨張可能袋（１）を瞬時的に膨らませることによって十分に大きな力をもたらすことにより閉塞手段を開放し得るとともにカバーを裏返すことができこれによりライニング（４００）とカバー（１０１）との間においてバッグ内部に収容された内容物を放出し得るような、容量を有したものとされる。
【００２４】
ガス容器（６）は、穿孔ビット（７２）付きの穿孔部材（７）によって容易に穿孔され得る隔壁により、マウス部（６０）において閉塞されている。穿孔ビット（７２）は、好ましくはフルートのマウスピースのようなものとされるとともに、隔壁のカット部分が少なくとも部分的に隔壁に対して取り付けられたままとなりこれによりガス放出を妨害することがないような、形状とされている。加えて、穿孔ビット（７２）は、軸方向通路（７３）を有している。
【００２５】
解除機構（８）は、穿孔部材（７）をガス容器（６）に向けて押し込み得るものであって、解除部材を備えている。解除部材は、例えば図７および図８に示す自己内部放出バッグの制御手段といったような制御手段（３）のフレキシブル伝達部材（３０）に対して、連結されている。
【００２６】
本発明においては、そのような解除部材は、突起（８７）とされている。この突起（８７）は、スプリング（８９）の作用に抗してフレキシブル伝達部材（３０）を動作させることにより、長尺ハウジング（２０）の内部チャンバ（２１）内においてスライド可能とされている。好ましくは、突起（８７）は、円筒形部材（８３）に対して剛直に連結されている。円筒形部材（８３）には、互いに対向して配置された少なくとも一対をなす歯（８４）が設けられている。歯（８４）は、長尺ハウジング（２０）の内部チャンバ（２１）内に形成されたグルーブ（８５）に沿ってスライドし得るよう、構成されている。
【００２７】
穿孔部材（７）は、把持チャック（７０）の一端に対して固定されている。この把持チャック（７０）の他端には、フィンガー（８８）が設けられており、このフィンガー（８８）は、解除機構（８）の突起（８７）を把持し得るものとされている。把持チャック（７０）は、シャープペンシルの把持チャックと非常に似通ったものとされ、プラスチック材料から形成することができる。
【００２８】
把持チャック（７０）は、突起（８７）を把持した状態（図１）と突起（８７）の把持を解除した状態（図２）との間にわたって移行可能なものとされ、螺旋スプリング（９１）の作用によって、少なくともフィンガー（８８）を囲んでいる外側カム形状（９０）に対して同軸的にスライド可能とされている。螺旋スプリング（９１）は、把持チャック（７０）の前端をなすフランジ（９２）と、外側カム形状（９０）と、に対して当接している。外側カム形状（９０）は、長尺ハウジング（２０）の内部チャンバ（２１）の内周凸部（９３）に対して当接しているものであって、内部空間（９４）を形成している。この内部空間（９４）は、好ましくは円筒形状とされ、断続的な円錐台形状部（９５）を有している。ここで、内部空間（９４）は、突起（８７）と係合している把持チャック（７０）のフィンガー（８８）を受領し得るとともに、把持チャック（７０）をスライドさせないようにそのようなフィンガー（８８）を保持することができる。
【００２９】
穿孔装置をなす各構成部材を、長尺ハウジング（２０）の内部チャンバ（２１）の内部において組み立てるには、長尺ハウジング（２０）のうちの、圧縮ガス容器（６）の近傍に位置する構成部材を、長尺ハウジング（２０）の残部に対して螺着する。
【００３０】
本発明による穿孔装置の動作につき、以下、説明する。
【００３１】
一般的にはボードンケーブルとされる制御手段（３）を手動で操作することにより、突起（８７）に対して連結されているフレキシブル伝達部材（３０）によって、スプリング（８９）の作用に抗して、長尺ハウジング（２０）の内部チャンバ（２１）のグルーブ（８５）に沿って歯（８４）を移動させることにより、突起（８７）をスライドさせる。スプリング（８９）により、突起（８７）は、把持チャック（７０）のフィンガー（８８）に対しての係合を解除する。例えば４個とされているようなフィンガーは、もはや突起（８７）によってカム形状（９０）の円錐台形状空間（９４，９５）に対して保持されなくなり、空間（９４，９５）の円筒形状部（９４）を通過することができる。把持チャック（７０）は、把持チャック（７０）のフランジ（９２）とカム形状（９０）との間にわたって延在しているスプリング（９１）によって押し出され、長尺ハウジング（２０）のうちの、小さなガス容器（６）が螺着されている前端に向けて、急激に駆動される。内部に通路（７３）を有している穿孔部材（７）が、小さなガス容器（６）のシールされているマウス部（６０）を穿孔し、これにより、ガス容器（６）内に収容されている圧縮ガスが、通路（７２）を通って膨張可能袋（１）の内部へと放出される。膨張可能袋（１）は、即座に膨らまされる。
【００３２】
圧縮ガスが、ハウジング（２０）の後部を通って漏洩することを防止し得るよう、シールガスケット（９９）が、設けられており、解除部材のフレキシブル伝達部材（３０）の周囲に配置されている。
【００３３】
図３〜図６は、本発明による穿孔装置の再設置を行うためのツールを概略的に示す断面図である。図３に示すような第１実施形態においては、再設置ツールは、長尺円筒形ボディを備えている。このボディは、最大直径をなす第１部分（５０）と、中間直径をなす第２部分（５１）と、最小直径をなす第３部分（５２）と、から構成されている。最大直径をなす第１部分（５０）は、内部が中空とされ、ガス容器（６）のネジ山付きネック部上に螺着し得るような内部ネジ山を有している。第２部分（５１）は、外部にネジ山を有しているものであって、同じく外部にネジ山を有しているガス容器（６）のネック部の直径と同じ直径を有している。最後に、最小直径をなす第３部分（５２）は、穿孔部材（７）を取り囲み得るよう、内部が中空とされている。図３に示すツールを、図５および図６に示すようにして、ガス容器（６）に対して螺着し、その後、新品のガス容器と同じ態様で長尺ハウジング（２０）のマウス部に対して螺着することにより、ツールの第３部分（５２）が、把持チャック（７０）を、後方側に移動させる。これにより、把持チャック（７０）のフィンガー（８８）が、解除部材の突起（８７）に対して係合する。この係合は、カム形状（９０）によって仮止めとして堅固に行われ、次に制御手段（３）が動作するまでは、フィンガー（８８）が保持される。
【００３４】
図４には、本発明による穿孔装置の再設置を行うためのツールの第２実施形態を示している。この第２実施形態は、所定形状ボディ（５３）を特徴としている。このボディは、小さな容器のネック部と等価な中空端部（５１）と、穿孔部材（７）を取り囲み得るような中空端部（５２）と、を有している。第１実施形態におけるツールに関して上述したのと同様に、ツールが穿孔部材（７）を後方側に移動させることにより、把持チャック（７０）のフィンガーが、解除部材の突起（８７）に対して係合する。この第２実施形態においては、所定形状ボディ（５３）は、ハンドルとして機能する。
【００３５】
この時点で、再設置ツールを取り外して、再設置ツールに代えて、新品の小さな圧縮ガス容器（６）を装着することができる。
【００３６】
本発明による穿孔装置の特性と再設置ツールの特性とに基づき、バッグの内部の膨張可能袋（１）に対する充填操作と、新たなガス容器のための穿孔装置の再設置操作とを、バッグの所有者によって容易に行い得ることは、明らかである。
【００３７】
しかしながら、本発明による穿孔装置は、他の使用方法も可能である。例えば、図９〜図１１には、海上救命用具が、概略的に示されている。外箱（１０４）内には、図１１に示すように、巻取式の膨張可能袋（１）に隣接して、圧縮ガス供給手段（２）が配置されている。外箱（１０４）は、ハンドル（１０６）付きのスライド可能カバー（１０４）を有している。制御手段の自由端は、スライド可能カバー（１０４）に対して連結されている。これにより、袋（１）を放出し得るようカバー（１０４）を引っ張ることで、小さな容器（６）の穿孔に基づいて、袋（１）が膨らまされる。
【図面の簡単な説明】
【００３８】
【図１】本発明による、袋を迅速に膨張させ得るよう圧縮ガス容器を穿孔するための穿孔装置の一部を示す長手方向断面図であって、圧縮ガス容器を穿孔する前の設置状態が示されている。
【図２】図１の穿孔装置の一部を示す長手方向断面図であって、圧縮ガス容器を穿孔した後の状態が示されている。
【図３】解除機構の動作後において、図１の装置を再設置するための再設置ツールの第１実施形態を示す長手方向断面図である。
【図４】解除機構の動作後において、図１の装置を再設置するための再設置ツールの第２実施形態を示す長手方向断面図である。
【図５】解除機構の再設置前の状態において、穿孔装置を示す概略的な長手方向断面図である。
【図６】解除機構の再設置後の状態において、穿孔装置を示す概略的な長手方向断面図である。
【図７】待受状態とされた本発明による穿孔装置を、一部断面によって示す概略的な正面図であって、穿孔装置は、破線によって図示されているようなショルダーストラップを有した閉塞バッグに対して適用されている。
【図８】バッグが開放されて動作状態とされた図７の穿孔装置を、一部断面によって示す概略的な正面図である。
【図９】待受状態とされた本発明による穿孔装置を、透視的に示す概略的な平面図であって、穿孔装置は、救命用具に対して適用されている。
【図１０】動作状態とされた図９の救命用具を、部分的に示す概略的な平面図であって、袋が完全に放出されている。
【図１１】図９におけるＡ−Ａ線に沿った概略的な矢視断面図である。
【符号の説明】
【００３９】
１  膨張可能袋
２  圧縮ガス供給手段
３  制御手段
６  小さな圧縮ガス容器
７  穿孔部材
８  解除機構
２０  ハウジング
２１  内部チャンバ
３０  フレキシブル伝達部材
５０  第１部分
５１  第２部分
５２  第３部分
５３  所定形状ボディ
６０  マウス部
６１  ネック部
７０  把持チャック
７２  穿孔ビット
７３  軸方向通路
８７  突起
８８  フィンガー
８９  スプリング
９０  外側カム形状
９１  螺旋スプリング
９２  フランジ
９３  内周凸部
９４  内部空間
９９  シールガスケット
１００  バッグ（外箱）
１０２  基部
１０３  基部
１０４  外箱
【図１】
2005119748.tif 000003
【図２】
2005119748.tif 000004
【図３】
2005119748.tif 000005
【図４】
2005119748.tif 000006
【図５】
2005119748.tif 000007
【図６】
2005119748.tif 000008
【図７】
2005119748.tif 000009
【図８】
2005119748.tif 000010
【図９】
2005119748.tif 000011
【図１０】
2005119748.tif 000012
【図１１】
2005119748.tif 000013
【外国語明細書】
2005119748.tif 000014
2005119748.tif 000015
2005119748.tif 000016
2005119748.tif 000017
2005119748.tif 000018
2005119748.tif 000019
2005119748.tif 000020
2005119748.tif 000021
2005119748.tif 000022
2005119748.tif 000023
2005119748.tif 000024
2005119748.tif 000025
2005119748.tif 000026
2005119748.tif 000027
2005119748.tif 000028
2005119748.tif 000029
2005119748.tif 000030
2005119748.tif 000031
2005119748.tif 000032
2005119748.tif 000033
2005119748.tif 000034
2005119748.tif 000035
2005119748.tif 000036